(57)【要約】 【課題】    給油所の設計・建設を行う際に、仕様全体の取りまとめが効率的に行えるようにする。【解決手段】    給油所敷地地形５０を設定し、その給油所敷地地形５０に２次元配置した建物や機器の情報から３次元のプランニングデータを作成し、給油所のレイアウト内容を所望の位置から立体的に２次元画像データ８０によって確認することができる。【選択図】  図３
2007011757.tif 000002
【特許請求の範囲】
【請求項１】
燃料補給所敷地地形、並びに当該敷地周りの道路設置状況といった燃料補給所の建設環境を設定入力する建設環境設定手段と、
燃料補給所敷地に設置される機器や建築物についての情報が記憶されている機器・建物情報ファイルと、
燃料補給所の建設に当たっての各種規制情報が記憶されている規制情報ファイルと、
前記機器・建物情報ファイルに記憶されている機器及び建築物の中から所望の機器又は建築物を選択し、当該選択した機器又は建築物について、前記建設環境設定手段によって設定入力された燃料補給所敷地上の所望位置への配置を指定する配置指定手段と、
該配置指定手段によって指定された燃料補給所敷地上の所望位置に、当該配置指定手段によって選択された所望の機器又は建物を配置するのを、前記規制情報ファイルに記憶されている規制情報に基づいて許可又は禁止する配置制御手段と、
該配置制御手段によって燃料補給所敷地上に配置許可された機器及び建物を含む、当該燃料補給所の３次元設置状況データを生成する設置状況生成手段と、
前記建設環境設定手段によって設定入力された燃料補給所敷地内外の所望の視点位置からの、該設置状況生成手段によって生成された３次元設置状況データに関しての２次元画像データを生成出力する確認画像出力手段と
を備えていることを特徴とする燃料補給所建設プランニングシステム。
【発明の詳細な説明】
【技術分野】
【０００１】
本発明は、例えば、燃料補給所、いわゆる給油所の設計・建設を行う際に、その完成時における全体レイアウト等について、視覚的に事前に確認しながら行うことができる燃料補給所建設プランニングシステムに関する。
【背景技術】
【０００２】
従来、一般に、いわゆる給油所（ガソリンスタンド）やＬＰＧ等のガス充填所の建設・施工にあたっては、顧客である給油所等との打合せを通じて、その要望内容の反映をはかっていくことにより、そのプランニングを行っていた。
【０００３】
具体的には、建設地地形や道路配置等といった立地条件や，顧客の要望を基に、各種作業スペースやサービススペースの配置，給油機やタンク等といった機器の数やそれぞれの配置、等といった具体的な内容を顧客に提示し、随時、顧客の確認を取りながら、仕様全体を取りまとめて、建設・施工を行うようになっている。
【０００４】
【特許文献１】特開平０９−１２３８８０
【発明の開示】
【発明が解決しようとする課題】
【０００５】
しかしながら、上述した顧客である給油所との打合せでは、従来、図面，機器等のカタログ，模型，従前の施工例等を用いて、顧客の要望を反映した具体的な内容の提案を行っていたため、顧客にとっては、これら資料からだけでは全体の完成イメージの把握がしにくい、という問題点があった。
【０００６】
また、打合せの際に、顧客の要望によって仕様変更が生じても、その打合せの場で仕様変更を図面等の提案資料に反映させて、顧客に提示することが難しいため、その変更内容が全体に及ぼす影響、又は法規制若しくは技術的原因による実現性の可否等が、次回打合せ時までわからないこともあり、仕様全体の取りまとめが効率的に行えない、という問題点があった。
【０００７】
本発明は、上述した問題点を鑑みなされたものであって、燃料補給所、いわゆる給油所の設計・建設を行う際に、その完成時における全体レイアウト等について、視覚的に事前に確認しながら行うことができるようにすることにより、仕様全体の取りまとめが効率的に行えるようにした燃料補給所建設プランニングシステムを提供することを目的とする。
【課題を解決するための手段】
【０００８】
本発明は、上記した課題を解決するために、燃料補給所敷地地形、並びに当該敷地周りの道路設置状況といった燃料補給所の建設環境を設定入力する建設環境設定手段と、燃料補給所敷地に設置される機器や建築物についての情報が記憶されている機器・建物情報ファイルと、燃料補給所の建設に当たっての各種規制情報が記憶されている規制情報ファイルと、機器・建物情報ファイルに記憶されている機器及び建築物の中から所望の機器又は建築物を選択し、当該選択した機器又は建築物について、建設環境設定手段によって設定入力された燃料補給所敷地上の所望位置への配置を指定する配置指定手段と、配置指定手段によって指定された燃料補給所敷地上の所望位置に、当該配置指定手段によって選択された所望の機器又は建物を配置するのを、規制情報ファイルに記憶されている規制情報に基づいて許可又は禁止する配置制御手段と、配置制御手段によって燃料補給所敷地上に配置許可された機器及び建物を含む、当該燃料補給所の３次元設置状況データを生成する設置状況生成手段と、建設環境設定手段によって設定入力された燃料補給所敷地内外の所望の視点位置からの、該設置状況生成手段によって生成された３次元設置状況データに関しての２次元画像データを生成出力する確認画像出力手段とを備えていることを特徴とする。
【発明の効果】
【０００９】
本発明によれば、完成時における全体レイアウト等について、視覚的に事前に確認しながら行うことができるようにすることにより、仕様全体の取りまとめが効率的に行えるようになる。
【００１０】
また、その確認も、燃料補給所敷地内外の所望の視点位置からに眺めた映像により確認することができるので、燃料補給所の作業者、又は顧客であるドライバといったそれぞれの立場から、客観的かつ一層具体的なイメージの把握が行える。
【００１１】
また、所望の機器又は建築物を燃料補給所敷地上の所望位置に配置するにあたっては、規制情報ファイルに記憶されている規制情報に基づいて許可又は禁止が自動的なされるので、顧客である給油所の要望によって仕様変更が生じても、その実現性の可否等が速やかに理解できる。
【発明を実施するための最良の形態】
【００１２】
本発明の燃料補給所建設プランニングシステムの一実施の形態について、図面に基づいて説明する。
【００１３】
図１は、本発明の一実施の形態による燃料補給所建設プランニングシステムのシステム構成図である。
【００１４】
図１において、燃料補給所建設プランニングシステム１は、ＣＰＵ２，ＲＯＭ３，ＲＡＭ４，入力装置Ｉ／Ｆ（interface）５，入力装置６，ディスプレイＩ／Ｆ７，ディスプレイ装置８，外部記憶装置Ｉ／Ｆ９，外部記憶装置１０，プリンタＩ／Ｆ１１，プリンタ装置１２を有して構成されている。
【００１５】
ＣＰＵ２は、燃料補給所建設プランニングの実行制御手段として、データ接続されている各部を制御する。
【００１６】
ＲＯＭ３は、読み出し専用のメモリで、実行制御手段としてのＣＰＵ２が各部を制御する際に実行する各種プログラム等が記憶されている。
【００１７】
ＲＡＭ４は、読み出し・書き込み可能なメモリで、実行制御手段としてのＣＰＵ２が各部を制御する際に用いるデータ及び情報や、プログラムを一時記憶する。
【００１８】
入力装置６は、図示せぬキーボード，マウスといった入力操作器を備え、入力装置Ｉ／Ｆ５を介して接続され、実行制御手段としてのＣＰＵ２が燃料補給所建設プランニングを実行制御する際、実行制御手段としてのＣＰＵ２に対して、各種設定・制御入力を行う。
【００１９】
ディスプレイ装置８は、ＬＣＤ等の画像表示器を備え、ディスプレイＩ／Ｆ７を介して接続され、実行制御手段としてのＣＰＵ２の指示に基づいて、入力装置６による各種設定・制御入力操作のためのＧＵＩ（graphical user interface）を表示したり、プランニングの経過情報や結果情報等の各種情報を表示する。また、ディスプレイＩ／Ｆ７には、ＣＰＵ２の指示に基づいてＧＵＩを合成するＧＵＩ合成回路や、画像表示器に表示されるプランニングの経過情報や結果情報等の各種情報の表示画像を保持しておくための画像メモリ（graphics memory）も備えている。
【００２０】
外部記憶装置１０は、外部記憶装置Ｉ／Ｆ９を介して接続され、実行制御手段としてのＣＰＵ２が燃料補給所建設プランニングを実行する際、ＣＰＵ２の指示に基づいて、プランニングの経過情報や結果情報等といった各種情報を読み出し・書き込み可能に保存したり、また、ＣＰＵ２が実行制御手段として燃料補給所建設プランニングを行う際に用いる種々の情報ファイルを記憶している。
【００２１】
また、本実施の形態の場合は、外部記憶装置１０には、さらに燃料補給所建設プランニングの際にＣＰＵ２が利用するＣＡＤ（Computer Aided Design）プログラムや、このＣＡＤプログラムを用いて生成された３次元データを見易いように画像表示するための画像処理プログラム等のアプリケーションプログラムも格納され、ＣＰＵ２が燃料補給所建設プランニングを実行制御する際には、ＲＡＭ４にインストールされるようになっている。
【００２２】
プリンタ装置１２は、プリンタＩ／Ｆ１１介して接続され、実行制御手段としてのＣＰＵ２の指示に基づいて、プランニングの経過情報や結果情報等の各種情報を表示する。
【００２３】
ここで、上述したとおりのシステム構成を備えた本実施の形態による燃料補給所建設プランニングシステム１において、外部記憶装置１０に記憶されている燃料補給所建設プランニングを行う際に用いる種々の情報ファイルについて説明する。
【００２４】
図２は、本実施の形態による燃料補給所建設プランニングシステムに備えられている情報ファイルの一実施例の説明図である。
【００２５】
本実施の形態の場合、燃料補給所建設プランニングを行う際に用いる情報ファイル２０として、規制情報ファイル２１，機器情報ファイル２２，建物情報ファイル２３，車両情報ファイル２４等の個別情報ファイルを有している。
【００２６】
規制情報ファイル２１には、一般の建築の法規制や、危険物を取り扱う燃料補給所について消防によって定められている危険物取扱の法規制ための法規制等の、燃料補給所建設に対する各種の法規制内容が記憶されている。具体的には、例えば、危険物取扱の法規制を例に説明すれば、燃料補給所における車両進入・退出口の配置の仕方、隣地境界に対しての機器の配置の仕方、個別機器同士の配置の仕方、等についての規制数値が記憶されている。
【００２７】
機器情報ファイル２２には、例えば、燃料補給所に設けられる各種機器の機能情報や寸法情報が、機器毎かつ機種毎に記憶されている。本実施の形態の場合は、車両等に燃料補給を行う給油機の機種毎の機能情報や寸法情報が記憶されている給油機データファイル、車両の洗車を行うための洗車機の機種毎の機能情報や寸法情報が記憶されている洗車機データファイル、油液を貯留しておくために地下に埋設されるタンクの機種毎の機能情報や寸法情報が記憶されているタンクデータファイル、等が備えられている。
【００２８】
建物情報ファイル２３には、事務所建屋のサンプル情報等が備えられている。
【００２９】
車両情報ファイル２４には、燃料補給所に訪れる普通車両，大型車両，ローリ車等の特殊車両の寸法や最小回転半径等といった燃料補給エリアや敷地内の車両動線確保に必要な寸法ファイル等が備えられている。
【００３０】
そして、燃料補給所建設プランニングシステム１のＣＰＵ２は、上述した外部記憶装置１０に記憶されているＣＡＤプログラムや画像処理プログラム等のアプリケーションプログラムを利用して、次のように燃料補給所建設プランニングの実行制御を行う。
【００３１】
以下、燃料補給所として、いわゆる給油所（ガソリンスタンド）の建設プランニングを行う場合を例に、その実行制御について図面とともに説明する。
【００３２】
図３は、本実施の形態の燃料補給所建設プランニングシステムによる制御フローチャートである。
【００３３】
燃料補給所建設プランニングシステム１が起動されると、ＣＰＵ２は、各部のイニシャライズを行い、外部記憶装置１０に記憶されているＣＡＤプログラムや画像処理プログラム等のアプリケーションプログラムのインストールを行った後、ディスプレイ装置８に、給油所敷地地形、及び道路の配置の設定案内を表示する。
【００３４】
これに対し、ユーザは、キーボード，マウスといった入力操作器を操作して、入力装置６から給油所敷地地形、及び隣接する道路の配置を設定入力する（ステップＳ100，Ｓ120）。
【００３５】
図４は、入力装置から給油所敷地地形、及び隣接する道路を設定入力した状態の説明図である。
【００３６】
図４では、給油所敷地地形５０は、道路５１ａ，５１ｂの交差点部分に面した矩形状の角地が設定入力された状態が表されているが、給油所敷地地形５０の形状は、ディスプレイ装置８の表示器画面上の基本線、及び基本形状を変形し、又は結合して設定入力するが、その際には、画面上にスケール寸法やグリッドも表示されるようになっている。
【００３７】
次に、ＣＰＵ２は、ユーザの設定登録操作によって、給油所敷地地形５０等の設定入力の完了が入力装置６から入力されたならば、同様にして、隣接地の建物配置及び給油所の顧客車両の進入・退出口の設定案内をディスプレイ装置８に表示する（ステップＳ140，Ｓ160）。
【００３８】
図５は、入力装置から隣接地の建物配置、及び給油所の顧客車両の進入・退出口を設定入力した状態の説明図である。
【００３９】
図５では、給油所の顧客車両の進入・退出口５２はブロック矢印で表されているが、給油所の顧客車両の進入・退出口５２の給油所敷地地形５０に対しての設定は、予めその設定案内に際してディスプレイ装置８の表示器画面上に進入・退出口５２を表すステンシル（この場合、ブロック矢印）を表示し、これを同じく表示器画面上に表示されている先に設定入力した給油所敷地地形５０に対してプロットすることによって行える構成になっている。
【００４０】
次に、ＣＰＵ２は、ユーザの設定登録操作によって、進入・退出口５２等の設定入力の完了が入力装置６から入力されたならば、ユーザに対して、給油所内における、給油中の顧客が待機したり給油所係員が事務を行う事務エリア（建屋エリア）５３ａ，給油機により顧客車両に油液の供給を行う給油サービスエリア５３ｂ，洗車機により顧客車両の洗車を行う洗車エリア５３ｃ，ローリ車から油液を貯留するタンクに油液の補給を行う注油エリア５３ｄ，顧客車両の整備を行うためのメンテナンスエリア５３ｅ，等といった各種作業エリア５３の概略配置の設定入力を案内する（ステップＳ170）。
【００４１】
これに対し、ユーザは、キーボード，マウスといった入力操作器を操作して、入力装置６からディスプレイ装置８に画面表示されている給油所敷地地形５０上で、所望の作業エリア５３を所望位置にプロット設定する。
【００４２】
図６は、入力装置から所望の作業エリアの概略配置を設定入力した状態の説明図である。
【００４３】
ＣＰＵ２は、ステップＳ170によって各作業エリア５３の給油所敷地地形５０上への概略配置の完了を検出すると、外部記憶装置１０に記憶されている情報ファイル２０を基にして、顧客車両やローリ車の給油所内における車両動線５４を確保し、各作業エリア５３の給油所敷地地形５０上における仮スペース５５（５５ａ〜５５ｅ）を設定して、ディスプレイ装置８の表示器画面上に表示する（ステップＳ180，Ｓ200）
【００４４】
図７は、入力装置から所望の作業エリアの仮スペースを設定した状態の説明図である。
この場合、ＣＰＵ２は、例えば情報ファイル２０の車両情報ファイル２４を参照しながら、先に設定入力した進入・退出口５２に基づいて、給油所内における車両動線５４を給油所敷地地形５０上に確保する。
【００４５】
そして、ＣＰＵ２は、この確保した車両動線５４を阻害しないようにして、かつ情報ファイル２０の規制情報ファイル２１における前述した給油取扱所等規制ファイルの規制内容にしたがって、各作業エリア５３（５３ａ〜５３ｅ）の給油所敷地地形５０上における仮スペース５５（５５ａ〜５５ｅ）を設定する。
【００４６】
例えば、図７に示した実施例の場合、給油サービスエリア５３ｂは、各進入・退出口５２の進行方向が９０度異なるので、顧客車両の給油作業前又は後の方向転換スペースを考慮して仮設定される。また、注油エリア５３ｄは、油液の荷卸しのためにローリ車が停車している場合の顧客車両の進入・退出に及ぼす影響がわかるように、ローリ車分のスペースも含めて仮設定される。なお、その際、給油取扱所等規制ファイルの規制内容で設置が規定されている防火壁５６も自動的に設定される。
【００４７】
そして、ＣＰＵ２は、ディスプレイ装置８の表示器画面上に、各作業エリア５３の仮スペース５５を表示すると、修正・確認作業待ち状態になる。
【００４８】
ユーザは、この場合、ディスプレイ装置８の表示器画面上に表示された各作業エリア５３の仮スペース５５を参照して、その修正を行う場合は、入力装置６の操作器を操作して、その画面上に表示された仮スペース５５を指定して、変形、縮小・拡大、移動操作等を行うことによって修正する。ＣＰＵ２は、修正・確認作業待ち状態で、この修正操作が入力装置６から入力された場合は、その指示にしたがって、仮スペース５５を変形、縮小・拡大、移動等して、ディスプレイ装置８に修正後の仮スペース５５を再表示する（ステップＳ220）。
【００４９】
ユーザは、各作業エリア５３（５３ａ〜５３ｅ）の給油所敷地地形５０上における仮スペース５５（５５ａ〜５５ｅ）の修正を終了したならば、その登録操作を入力装置６により行う。ＣＰＵ２は、入力装置６からその登録操作が入力されたならば、ディスプレイ装置８の表示器画面上に表示された給油所敷地地形５０及び道路５１並びに隣接地の２次元データを例えばその外部記憶装置１０に建物／機器配置ベースデータとして一旦保存するとともに、建物／機器配置モードに移行する。
【００５０】
次に、ユーザは、建物／機器配置モードへの移行にともなってディスプレイ装置８の表示器画面上に、給油所敷地地形５０とともに表示される案内にしたがって、給油機、洗車機、建屋等の建物／機器の選択、及び選択した建物／機器の給油所敷地地形５０上の配置作業を行うことになる。その際における設定作業は、本実施例の場合、前記ステップＳ220で修正し登録した建物／機器配置ベースデータの画面表示をもとに行う。
【００５１】
具体的には、本実施では、ユーザが建物／機器配置ベースデータの画面表示上で各作業エリア５３（５３ａ〜５３ｅ）の中の何れかのエリアを指定すると、情報ファイル２０の当該作業エリア５３に関連する機器情報ファイル２２や建物情報ファイル２３に記憶されている機器又は建物のシンボルが表示され、ユーザはそのシンボルの中から所望の機器や建物等の構築物を選択して、建物／機器配置ベースデータの画面表示上の所望位置にプロットすることによって、配置されるようになっている。
【００５２】
そのために、ＣＰＵ２は、入力装置からユーザによる作業エリア５３の指定が供給されると、当該指定された作業エリア５３に機器又は建物のシンボルを、情報ファイル２０の機器情報ファイル２２や建物情報ファイル２３の中から抽出し、その抽出した内容を建物／機器配置ベースデータ（図７）の表示に並べて、ディスプレイ装置８の表示器画面上に表示する。例えば、給油サービスエリア５３ｂが指定された場合は、給油機が設置されるアイランド、各種タイプの給油機（正・背面両側給油タイプ、正面片側給油タイプ、給油地点（給油エリア）に停車した顧客車両に対して給油可能液種数が単一のタイプ、同じく給油可能液種数が複数で選択可能なタイプ、セルフサービス給油タイプ、等）や、屋外ＰＯＳ端末機を収納する給油サービスユニット筺体、セルフサービス給油用のプリペイドカード発行機）等の機器を、ディスプレイ装置８の表示器画面上に表示する。
【００５３】
そして、ユーザにより、その中から例えば正・背面両側給油タイプの型式○○の給油機が選択され、図７に示す建物／機器配置ベースデータ上の所望の位置にプロットされたならば、ＣＰＵ２は、機器情報ファイル２２の規制情報ファイルの関係規制を確認した上で、対応する給油所敷地地形５０上の座標位置に、機器情報ファイル２２の給油機データファイルに記憶されている型式○○の給油機の寸法データに基づく型式○○の給油機の３次元形状データの２次元データを、建物／機器配置ベースデータの２次元座標上に配置する（ステップＳ240）。加えて、ＣＰＵ２は、建物／機器配置ベースデータの画面表示の給油所敷地地形５０上の対応位置に型式○○の給油機の平面形状画像を重畳表示する。  
【００５４】
ここで、機器情報ファイル２２の規制情報ファイルの関係規制とは、型式○○の給油機のホース到達範囲との関係で、例えば、給油所敷地地形５０の境界近傍に配置されたり、又は先に配置された別の給油機との間に当該型式○○の給油機のための給油エリアスペース（顧客車両が給油作業のために停車するスペース）が確保されているかどうかを確認するための基準を指すものである。
【００５５】
そして、ユーザは、同様にして、他の作業エリア５３（５３ａ，５３ｄ〜５３ｅ）についても、同様にして、所望の機器や建物等の構築物についての配置設定を行う。
【００５６】
さらに、ユーザは、各作業エリア５３に対応させた機器、及び建物等の構築物の配置を終えたならば、地下タンク、地下タンクと給油機等とを接続する配管等の設定を行い、石油会社の仕様に合わせた外装設定（給油機、防火壁５６の色等）を指定する（ステップＳ260）。
【００５７】
ここで、ユーザは、地下タンクや配管、及び給油エリア上方のキャノピー、サインポールについては、さらに高さ位置を指定して配置するようになっている。
【００５８】
また、建屋、アイランド、配管、キャノピー等の構築物については、その寸法，形状，敷設方向は、任意に設定できるようになっている。
【００５９】
図８は、このようにして行われた給油所敷地地形上の機器及び建物の配置状態についての、ディスプレイ装置の画面上における表示例を示した図である。
【００６０】
図８において、６１は、メンテンスエリア５３ｅが一体的に設けられている事務所建屋、６２は洗車機、６３はタンクへの油液の補給を行う注油口、６４は地下に埋設されている地下タンク、６５は道路５１に面して立設されたサインポール、６６は給油機、６７はアイランド、６８は給油エリア、６９はキャノピーの投影、６９ａはキャノピーの柱断面をそれぞれ示すものである。
【００６１】
このようにして、本実施の形態の燃料補給所建設プランニングシステム１では、上述した各機器及び建物の配置と連動して、建物／機器配置ベースデータの給油所敷地地形５０上の座標に位置決め配置され、ディスプレイ装置８の表示器画面上に２次元画像表示されるようになっている。
【００６２】
そして、全ての機器及び建物の配置の設定が終了したならば、ユーザは入力装置６を操作して登録操作を行う。
【００６３】
ＣＰＵ２は、ユーザの登録操作が入力されると、建物／機器配置ベースデータの給油所敷地地形５０上の座標に位置決め配置されたデータに基づき、情報ファイル２０に記憶されている機器情報ファイル２２、及び建物情報ファイル２３の該当データを利用して、ディスプレイ装置８の表示器画面上に２次元画像表示されている給油所敷地地形５０やそこに配置されている機器や建物、及び道路５１，隣接地についての情報を、３次元データ加工して、その結果の３次元形状データ（座標データ）をプランニングデータとして外部記憶装置１０に記憶する（ステップＳ300）。
【００６４】
その後、ユーザは、その全体レイアウト等の３次元形状を確認したい場合は、入力装置６の操作器を操作して、３次元表示を指示する。ＣＰＵ２は、この３次元表示の指示入力を検出すると、視点位置の入力をプランニングデータの２次元画像をディスプレイ装置８の表示器画面上に表示して設定案内する。
【００６５】
図９は、レイアウト表示指示時における視点位置の案内画面の表示例を示した図である。
【００６６】
ユーザは、この案内画面７０上で、ポインタ７１によって、視点位置、視点高さ、視点方向を設定する。この場合、視点高さは、ポインタ７１の大きさで表されるようになっており、視点高さを上昇させた場合は、ポインタ７１の大きさを縮小するようになっている。
【００６７】
ＣＰＵ２は、視点位置、視点高さ、視点方向が入力装置６から設定入力されると、これに基づいて、プランニングデータの視点位置から眺めた形状データに隠面、隠線処理等を施して、視点位置からの２次元画像データを作成し、作成した視点位置からの２次元画像データをディスプレイ装置８の表示器画面に表示する。
【００６８】
図１０は、設定した視点位置からのレイアウト表示の表示例を示した図である。
【００６９】
したがって、ユーザは、給油所のレイアウト内容を立体的に所望の位置から２次元画像データ８０によって確認することができる。また、その結果、レイアウトの変更の必要が生じた場合であっても、今度はプランニングデータについて、上述したと同様な方法で、機器や建物の配置変更等が容易に行える。
【図面の簡単な説明】
【００７０】
【図１】本発明の一実施の形態による燃料補給所建設プランニングシステムのシステム構成図である。
【図２】本実施の形態による燃料補給所建設プランニングシステムに備えられている情報ファイルの一実施例の説明図である。
【図３】本実施の形態の燃料補給所建設プランニングシステムによる制御フローチャートである。
【図４】入力装置から給油所敷地地形、及び隣接する道路を設定入力した状態の説明図である。
【図５】入力装置から隣接地の建物配置、及び給油所の顧客車両の進入・退出口を設定入力した状態の説明図である。
【図６】入力装置から所望の作業エリアの概略配置を設定入力した状態の説明図である。
【図７】入力装置から所望の作業エリアの仮スペースを設定した状態の説明図である。
【図８】給油所敷地地形５０上の機器及び建物の配置状態についての、ディスプレイ装置の画面上における表示例を示した図である。
【図９】レイアウト表示指示時における視点位置の案内画面の表示例を示した図である。
【図１０】設定した視点位置からのレイアウト表示の表示例を示した図である。
【符号の説明】
【００７１】
１  燃料補給所建設プランニングシステム
２  ＣＰＵ
３  ＲＯＭ
４  ＲＡＭ
５  入力装置Ｉ／Ｆ
６  入力装置
７  ディスプレイＩ／Ｆ
８  ディスプレイ装置
９  外部記憶装置Ｉ／Ｆ
１０  外部記憶装置
１１  プリンタＩ／Ｆ
１２  プリンタ装置
２０  情報ファイル
２１  規制情報ファイル
２２  機器情報ファイル
２３  建物情報ファイル
２４  車両情報ファイル
５０  給油所敷地地形
５１  道路
５２  進入・退出口
５３  作業エリア
５４  車両動線
５５  仮スペース
５６  防火壁
６１  事務所建屋
６２  洗車機
６３  注油口
６４  地下タンク
６５  サインポール
６６  給油機
６７  アイランド
６８  給油エリア
６９  キャノピーの投影
７０  案内画面
７１  ポインタ
【図１】
2007011757.tif 000003
【図２】
2007011757.tif 000004
【図３】
2007011757.tif 000005
【図４】
2007011757.tif 000006
【図５】
2007011757.tif 000007
【図６】
2007011757.tif 000008
【図７】
2007011757.tif 000009
【図８】
2007011757.tif 000010
【図９】
2007011757.tif 000011
【図１０】
2007011757.tif 000012